(57)【要約】      （修正有）【課題】従来からのデータ、音声、および映像に対して、照明システムと制御システムとを追加することに関するものである。照明システムおよび制御システムは、電力信号と制御信号の両方をイーサネットで供給する。【解決手段】照明システムは、エネルギー効率に優れたＬＥＤ光源を有するＰｏＥ‐ＩＰイルミネータに対してコマンドと電力を供給するＰｏＥスイッチを備えている。各イルミネータは、固有のＩＰ‐ＩＤを持っており、ＰｏＥ-ＬＡＮを通じた制御が可能である。連鎖可能ＩＰ‐ＬＥＤ灯が、シリアルチャネルによりデイジーチェーン接続されており、これらは、ＰｏＥラインに接続されたＩＰ‐ＬＥＤマスターにより制御される。このシステムは、アクセス装置、ＩＰ-ＬＥＤ／電光看板、遮光装置、サイレン／アラームなど、遠隔制御可能な被制御機器の電力供給と制御のために用いられるＰｏＥ‐ＩＰコントローラを備えることができる。【選択図】図４
2012231440.tif 000002
【特許請求の範囲】
【請求項１】
ＰｏＥ  ＬＡＮケーブルから受け取ったデータと電力を分離する、電力／データ分離器と、
前記分離された電力を、コントローラへの電力供給に要する電圧に変換する、ＤＣ／ＤＣ回路と、
データを受け取って、この受け取った分離されたデータに応じてドライバを制御する、コントローラと、
ＩＰ‐ＩＤを前記コントローラに提供する、ＩＰ‐ＩＤ不揮発性メモリと、
前記コントローラからコマンドを受け取って、少なくとも１つのＬＥＤ光源に供給される前記分離された電力を制御する、ドライバと、
照明光を生成する少なくとも１つのＬＥＤ光源と、を備えるＰｏＥ‐ＩＰイルミネータ。
【請求項２】
前記電力／データ分離器、前記ＤＣ／ＤＣ回路、前記コントローラ、前記ドライバ、および前記ＩＰ‐ＩＤ不揮発性メモリは、ＰｏＥ‐ＩＰ  ＬＥＤ制御モジュールに統合されている、請求項１に記載のＰｏＥ‐ＩＰイルミネータ。
【請求項３】
前記電力／データ分離器、前記ＤＣ／ＤＣ回路、前記コントローラ、前記ドライバ、前記ＩＰ‐ＩＤ不揮発性メモリ、および前記少なくとも１つのＬＥＤ光源は、当該ＰｏＥ‐ＩＰイルミネータに統合されている、請求項２に記載のＰｏＥ‐ＩＰイルミネータ。
【請求項４】
前記ドライバから電力を受け取る、少なくとも１つの追加のＬＥＤ光源と、
少なくとも１つの追加のＰｏＥ  ＬＡＮケーブルから電力を受け取る、少なくとも１つの追加の電力／データ分離器と、
前記電力／データ分離器および少なくとも１つの追加の電力／データ分離器からの電力を合算し、合算した電力を前記ドライバに供給する、電力加算回路と、をさらに備える、請求項１に記載のＰｏＥ‐ＩＰイルミネータ。
【請求項５】
センサ入力および起動出力のうちの少なくとも１つをさらに備える、請求項１に記載のＰｏＥイルミネータ。
【請求項６】
前記ＰｏＥ  ＬＡＮケーブルは、ＰｏＥ＋  ＬＡＮケーブルである、請求項１に記載のＰｏＥ‐ＩＰイルミネータ。
【請求項７】
前記ＬＥＤ光源は、少なくとも８ワットの電力を使用することができる、複数のＬＥＤを含んでいる、請求項６に記載のＰｏＥ‐ＩＰイルミネータ。
【請求項８】
ＰｏＥ照明システムであって、
ＰｏＥスイッチに接続されている、ＩＰ‐ＬＥＤ制御サーバと、
パワーオーバーイーサネットＬＡＮケーブルにより、少なくとも１つのＰｏＥ‐ＩＰイルミネータに接続されているＰｏＥスイッチと、を備え、
前記ＰｏＥ‐ＩＰイルミネータは、
パワーオーバーイーサネットＬＡＮケーブルから受け取ったデータと電力を分離する、電力／データ分離器と、
電力を、コントローラへの電力供給に要する電圧に変換する、ＤＣ／ＤＣ回路と、
データを受け取って、このデータに応じてドライバを制御する、コントローラと、
ＩＰ‐ＩＤを前記コントローラに提供する、ＩＰ‐ＩＤ不揮発性メモリと、
前記コントローラからコマンドを受け取って、少なくとも１つの光源に供給される前記電力を制御する、ドライバと、
照明光を生成する少なくとも１つのＬＥＤ光源と、を有している、ＰｏＥ照明システム。
【請求項９】
ＬＥＤ管理サーバをさらに備える、請求項８に記載のＰｏＥ照明システム。
【請求項１０】
前記ＬＥＤ管理サーバは、前記ＰｏＥスイッチから離れた場所に配置されている、請求項９に記載のＰｏＥ照明システム。
【請求項１１】
前記ＰｏＥ‐ＩＰイルミネータは、
前記ドライバから電力を受け取る、少なくとも１つの追加のＬＥＤ光源と、
少なくとも１つの追加のパワーオーバーイーサネットＬＡＮケーブルから電力を受け取る、少なくとも１つの追加の電力／データ分離器と、
前記電力／データ分離器および前記少なくとも１つの追加の電力／データ分離器からの電力を合算し、この合算した電力を前記ドライバに供給する、電力加算回路と、をさらに有している、請求項８に記載の照明システム。
【請求項１２】
前記ＰｏＥ‐ＩＰイルミネータは、センサ入力または起動出力の少なくとも１つをさらに有している、請求項８に記載の照明システム。
【請求項１３】
前記ＰｏＥスイッチは、充電式バッテリをさらに有している、請求項８に記載の照明システム。
【請求項１４】
前記ＰｏＥスイッチは、風力タービン、ローカル発電機、および太陽光発電装置といった電源により電力が供給される、請求項１３に記載の照明システム。
【請求項１５】
パワーオーバーイーサネットＬＡＮケーブルにより前記ＰｏＥスイッチに接続されている、ＩＰカメラのような少なくとも１つのモーションセンサ、
パワーオーバーイーサネットＬＡＮケーブルにより前記ＰｏＥスイッチに接続されている、少なくとも１つの照度センサ、
パワーオーバーイーサネットＬＡＮケーブルにより前記ＰｏＥスイッチに接続されている、無線アクセスポイント、のうちの少なくとも１つをさらに備える、請求項８に記載の照明システム。
【請求項１６】
前記無線アクセスポイントと無線でインタフェース接続しており、前記少なくとも１つのＬＥＤ光源が発する光を制御するための少なくとも１つの携帯端末を、さらに備える、請求項１５に記載の照明システム。
【請求項１７】
前記ＰｏＥスイッチに接続されており、少なくとも１つの遠隔制御される機器を制御する少なくとも１つのコントローラを、さらに備える、請求項８に記載の照明システム。
【請求項１８】
前記少なくとも１つの遠隔制御される機器は、アラーム、サイレン、告知用スピーカ、ディスプレイ、あるいは電光看板といった遠隔制御機器である、請求項１７に記載の照明システム。
【請求項１９】
現金自動預払機（ＡＴＭ）設置場所のためのＰｏＥ照明システムであって、
ネットワークによりＰｏＥスイッチに接続されている内線交換（ＰＢＸ）サーバおよびビデオサーバと、
ＰｏＥスイッチと、を備え、このＰｏＥスイッチは、ＰｏＥ  ＬＡＮケーブルにより、
ＩＰカメラ、
ＩＰ電話、
ＡＴＭ機、および、
少なくとも１つのＰｏＥ‐ＩＰイルミネータ、に接続されており、
前記ＰｏＥ‐ＩＰイルミネータは、
パワーオーバーイーサネットＬＡＮケーブルから受け取ったデータと電力を分離する、電力／データ分離器と、
受け取った分離された電力を、コントローラへの電力供給に要する電圧に変換する、ＤＣ／ＤＣ回路と、
分離されたデータを受け取って、この受け取った分離されたデータに応じてドライバを制御する、コントローラと、
ＩＰ‐ＩＤを前記コントローラに提供する、ＩＰ‐ＩＤ不揮発性メモリと、
前記コントローラからコマンドを受け取って、少なくとも１つのＬＥＤ光源に供給される、受け取った分離された電力を制御する、ドライバと、
照明光を生成する少なくとも１つのＬＥＤ光源と、を有している、ＰｏＥ照明システム。
【請求項２０】
前記ＰｏＥスイッチは、充電式バッテリをさらに有している、請求項１９に記載の現金自動預払機（ＡＴＭ）設置場所のためのＰｏＥ照明システム。
【請求項２１】
前記ＰｏＥスイッチは、風力タービン、ローカル発電機、および太陽光発電装置といった電源により電力が供給される、請求項２０に記載の現金自動預払機（ＡＴＭ）設置場所のためのＰｏＥ照明システム。
【請求項２２】
前記ＰｏＥスイッチは、ドライ接点入力をさらに有している、請求項１９に記載の現金自動預払機（ＡＴＭ）設置場所のためのＰｏＥ照明システム。
【請求項２３】
前記ネットワークは、無線ネットワークである、請求項１９に記載の現金自動預払機（ＡＴＭ）設置場所のためのＰｏＥ照明システム。
【請求項２４】
照明方法であって、
ＬＥＤ管理サーバを、ネットワークに接続すること、
ＰｏＥスイッチを、前記ネットワークに接続すること、
前記ＰｏＥスイッチを、少なくとも１つのＰｏＥ  ＬＡＮケーブルに接続すること、
前記少なくとも１つのＰｏＥ  ＬＡＮケーブルを、少なくとも１つのＰｏＥ‐ＩＰイルミネータに接続すること、を含み、
前記ＰｏＥ‐ＩＰイルミネータは、
前記ＰｏＥ  ＬＡＮケーブルにより伝送される電力からデータを分離すること、
前記ＬＥＤ管理サーバに、ＩＰ−ＩＤを伝えること、
前記ＰｏＥ  ＬＡＮケーブルからコマンドを受け取って、解釈すること、
前記受け取ったコマンドを用いてＬＥＤドライバを制御すること、
前記制御されるドライバを用いて、少なくとも１つのＬＥＤ光源を、前記分離された電力で駆動すること、および、
前記少なくとも１つのＬＥＤ光源により生成される光で照明を提供すること、が可能である、照明方法。
【請求項２５】
少なくとも１つの追加のＰｏＥ  ＬＡＮケーブルを、前記ＰｏＥ‐ＩＰイルミネータに接続すること、
前記追加のＰｏＥ  ＬＡＮケーブルから受け取った電力を、前記ＰｏＥ  ＬＡＮケーブルから受け取った電力と合算すること、および、
前記合算した電力を前記ＬＥＤドライバに供給すること、をさらに含む、請求項２４に記載の照明方法。
【請求項２６】
ＰｏＥ照明システムであって、
ＰｏＥスイッチに接続されている、ＩＰ‐ＬＥＤ制御サーバと、
パワーオーバーイーサネットＬＡＮケーブルにより、連鎖可能ＩＰ‐ＬＥＤ灯からなる少なくとも１つの鎖に接続されている、ＰｏＥスイッチと、を備え、
前記連鎖可能ＩＰ‐ＬＥＤ灯の鎖は、
ＰｏＥラインを介して前記ＰｏＥスイッチに接続されているＩＰ‐ＬＥＤマスターと、
複数の連鎖可能ＩＰ‐ＬＥＤ灯と、を含み、各連鎖可能ＩＰ‐ＬＥＤ灯は、
電源と、
ＬＥＤ光源と、
ＩＰ‐ＬＥＤクライアントと、を有し、
これらのＩＰ‐ＬＥＤクライアントは、シリアル・データチャネルにより、鎖状に接続されて、前記ＩＰ‐ＬＥＤマスターに接続されており、前記ＩＰ‐ＬＥＤクライアントは、前記シリアル・データチャネルを介して受け取ったコマンドに応じて、前記電源から前記ＬＥＤ光源に供給される電力を制御する、ＰｏＥ照明システム。
【請求項２７】
窓用電動スクリーン、ドアロック、および人員アクセスポイントといった、少なくとも１つの部屋環境コントローラをさらに備える、請求項２６に記載のＰｏＥ照明システム。
【請求項２８】
ＰｏＥ制御システムであって、
ＰｏＥスイッチに接続されているＩＰ制御サーバと、
パワーオーバーイーサネットＬＡＮケーブルにより、少なくとも１つのＩＰコントローラに接続されているＰｏＥスイッチと、
前記ＰｏＥスイッチから前記ＰｏＥケーブルを介してコマンドおよび電力を受け取り、少なくとも１つの被制御機器に電力を供給し制御することができる、少なくとも１つのＩＰコントローラと、
前記ＩＰコントローラにより制御され電力供給される、少なくとも１つの遠隔制御される機器と、を備え、
前記遠隔制御される機器は、前記ＰｏＥケーブルを介して供給される電力のみにより電力供給される、ＰｏＥ制御システム。
【請求項２９】
前記少なくとも１つの遠隔制御される機器は、アラーム、サイレン、告知用スピーカ、ディスプレイ、あるいは電光看板といった遠隔制御機器である、請求項２８に記載のＰｏＥ制御システム。
【請求項３０】
前記少なくとも１つの遠隔制御される機器は、窓用電動スクリーン、ドアロック、および人員アクセスポイントといった、遠隔制御の部屋環境コントローラである、請求項２８に記載のＰｏＥ制御システム。
【発明の詳細な説明】
【技術分野】
【０００１】
本発明は、ネットワーク利用に第４と第５の次元を追加すること、すなわち、従来からのデータ、音声、および映像に対して、照明システムと制御システムとを追加することに関するものである。照明システムおよび制御システムは、電力信号と制御信号の両方をイーサネットで供給する。
【背景技術】
【０００２】
エネルギーコストが増大し、環境への関心が高まるにつれて、電力消費量を削減することが必要となる。
【０００３】
白熱電球やネオン灯に対比して、発光ダイオード（ＬＥＤ）光源は、消費エネルギー対照度比に優れており、また、長寿命である。
【０００４】
ＬＥＤ照明は、その効率の良さと低消費であることによって、通常のネットワーク接続ＰｏＥ／ＰＤ機器（Ｐｏｗｅｒ  ｏｖｅｒ  Ｅｔｈｅｒｎｅｔ  Ｐｏｗｅｒｅｄ  Ｄｅｖｉｃｅ：  パワーオーバーイーサネット受電機器）として接続し制御することが可能である。
【０００５】
パワーオーバーイーサネット（ＰｏＥ）は商業化されており、ＩＰ電話、ＩＰカメラなどのコンピュータ周辺機器や、無線アクセスポイント、基地局など、小型のネットワーク接続ＩＰ機器に電力を供給するために用いられる。インターネットプロトコルを利用可能であり、これによって、イーサネット配線を通したデータおよび電力の伝送が規定される。
【発明の概要】
【課題を解決するための手段】
【０００６】
本発明は、ネットワーク利用に第４と第５の次元を追加すること、すなわち、従来からのデータ、音声、および映像に対して、照明システムと制御システムとを追加することに関するものである。照明システムおよび制御システムは、電力信号と制御信号の両方を、標準的なイーサネット・ネットワーク基盤を通じて供給する。実施形態によっては、システムは、ＰｏＥスイッチまたはＰｏＥ＋スイッチに接続されたＰｏＥコントローラまたはＰｏＥ＋コントローラを備えていてもよく、このコントローラは、例えば以下のような、遠隔制御可能なあらゆる機器の電力供給と制御のために用いられる。
・  例えば、ビル、オフィス、ＡＴＭなどにおいてプログラム可能な看板として用いられるＩＰ  ＬＥＤ／電光看板。
・  緊急時に用いられるＩＰ制御のサイレン／アラーム。
・  指示、案内、告知などを提供するＩＰ制御のスピーカ。
・  ＩＰ制御のアクセス／ロック・コントローラなど。
・  ＩＰ制御の遮光システム／モータなど。
・  遠隔制御が可能であるその他のあらゆる機器。
【０００７】
“ネットワークを利用した照明”によって、照明効率を向上し節電を進めるための新しい次元が追加される。
【０００８】
このようにして、例えば、遮光制御、入場制御、看板、警報などのために、ＰｏＥ／ＰＤ制御システムを導入することによって、節電および環境保全という使命に資して、接続、電力、および制御のすべてを提供するというネットワークの能力が、完成される。
【０００９】
典型例である一実施形態においては、オフィスや家庭、さらには、発券機やＡＴＭの設置場所などをエネルギー効率良く照らすための照明および制御システムが提供される。
【００１０】
当該システムは、ＰｏＥスイッチを備えており、これは、高出力高エネルギー効率のＬＥＤ光源をそれぞれに有する１つあるいは幾つかのＰｏＥ‐ＩＰイルミネータ（ＰＩＰＩ）に対して、また、ＰｏＥ‐ＩＰ遮光コントローラおよび入場コントローラに対して、コマンドと電力の両方を供給する。ＰｏＥ  ８０２．３ａｆ規格を用いると、各ＰｏＥ  ＬＡＮケーブルにより、１０ワットを超える光源および制御ユニットの使用が可能である。ＰｏＥ＋を用いると、２０ワットを超える光源および制御ユニットの使用が可能である。
【００１１】
各ＰＩＰＩ／コントローラは、ＩＰ‐ＩＤといった固有のＩＤを持っており、ＰｏＥ  ＬＡＮを通じた制御が可能である。
【００１２】
このシステムは、ＩＰカメラ、照度センサ、入場検出器といったセンサやモニタを備えることができる。遠隔のＡＴＭ機設置場所において、このシステムは、照明、音声支援、監視セキュリティ、および銀行業務を提供する。風力発電装置や太陽光発電装置といった再生可能エネルギー源や、充電式バッテリによって、無公害での運用および遠隔地での運用が可能となる。
【００１３】
本発明の別の態様は、ＰｏＥ‐ＩＰ制御のオフィス機器および家庭用機器のためのシステムを提供するものであり、さらに、アクセスポイント、部屋環境コントローラ、ドアロック、電話、無線通信ポイント、窓用スクリーンおよびシェード、サイレン／アラーム、ＬＥＤ／電光看板など、ＰｏＥ‐ＩＰコントローラを用いるサブシステムを提供するものである。
【００１４】
本発明の別の態様は、ＰｏＥ‐ＩＰ（ＰＩＰＩ）を提供するものである。ＰＩＰＩは、ＰｏＥ  ＬＡＮケーブルから受け取ったデータと電力を分離する電力／データ分離器；  分離された電力を、コントローラへの電力供給に要する電圧に変換するＤＣ／ＤＣ回路；  データを受け取って、この受け取った分離されたデータに応じてドライバを制御するコントローラ；  ＩＰ‐ＩＤを上記コントローラに提供するＩＰ‐ＩＤ不揮発性メモリ；  上記コントローラからコマンドを受け取って、少なくとも１つのＬＥＤ光源に供給される上記分離された電力を制御するドライバ；および、照明光を生成する少なくとも１つのＬＥＤ光源、を備えている。
【００１５】
一部の実施形態では、電力／データ分離器、ＤＣ／ＤＣ回路、コントローラ、ドライバ、およびＩＰ‐ＩＤ不揮発性メモリは、ＰｏＥ‐ＩＰ  ＬＥＤ制御モジュールに統合されている。
【００１６】
一部の実施形態では、電力／データ分離器（４２０）、ＤＣ／ＤＣ回路、コントローラ、ドライバ、ＩＰ‐ＩＤ不揮発性メモリ、および少なくとも１つのＬＥＤ光源は、当該ＰｏＥ‐ＩＰイルミネータに統合されている。
【００１７】
一部の実施形態では、ＰｏＥ‐ＩＰイルミネータは、上記ドライバから電力を受け取る少なくとも１つの追加のＬＥＤ光源；  追加のＰｏＥ  ＬＡＮケーブルから電力を受け取る少なくとも１つの追加の電力／データ分離器；  および、上記電力／データ分離器および少なくとも１つの追加の電力／データ分離器からの電力を合算し、合算した電力を上記ドライバに供給する電力加算回路、をさらに備えている。
【００１８】
一部の実施形態では、ＰｏＥ‐ＩＰイルミネータは、センサ入力または起動出力の少なくとも１つをさらに備えている。
【００１９】
一部の実施形態では、ＰｏＥスイッチは、ＰｏＥ＋対応のものである。
【００２０】
一部の実施形態では、ＬＥＤ光源は、少なくとも８ワットの電力を使用することができる、複数のＬＥＤを含んでいる。一部の実施形態では、ＬＥＤ光源は、少なくとも１５ワットの電力を使用することができる、複数のＬＥＤを含んでいる。
【００２１】
本発明の別の態様は、ＰｏＥ照明システムを提供するものであり、これは、ＰｏＥスイッチに接続されているＩＰ‐ＬＥＤ制御サーバ；  パワーオーバーイーサネットＬＡＮケーブルにより、少なくとも１つのＰｏＥ‐ＩＰイルミネータに接続されているＰｏＥスイッチ、を備えている。上記ＰｏＥ‐ＩＰイルミネータは、パワーオーバーイーサネットＬＡＮケーブルから受け取ったデータと電力を分離する電力／データ分離器；  電力を、コントローラへの電力供給に要する電圧に変換するＤＣ／ＤＣ回路；  データを受け取って、この受け取った分離されたデータに応じてドライバを制御するコントローラ；  ＩＰ‐ＩＤを上記コントローラに提供するＩＰ‐ＩＤ不揮発性メモリ；  上記コントローラからコマンドを受け取って、少なくとも１つの光源に供給される上記分離された電力を制御するドライバ；  および、照明光を生成する少なくとも１つのＬＥＤ光源、を有している。
【００２２】
一部の実施形態では、ＰｏＥ照明システムは、ＬＥＤ管理サーバをさらに備えている。
【００２３】
一部の実施形態では、上記ＬＥＤ管理サーバは、上記ＰｏＥスイッチから離れた場所に配置されている。
【００２４】
一部の実施形態では、ＰｏＥ‐ＩＰイルミネータは、上記ドライバから電力を受け取る少なくとも１つの追加のＬＥＤ光源；  追加のパワーオーバーイーサネットＬＡＮケーブルから電力を受け取る少なくとも１つの追加の電力／データ分離器；  および、上記電力／データ分離器および上記少なくとも１つの追加の電力／データ分離器からの電力を合算し、この合算した電力を上記ドライバに供給する電力加算回路、をさらに有している。
【００２５】
一部の実施形態では、ＰｏＥ‐ＩＰイルミネータは、センサ入力または起動出力の少なくとも１つをさらに有している。
【００２６】
一部の実施形態では、ＰｏＥスイッチは、充電式バッテリをさらに有している。
【００２７】
一部の実施形態では、ＰｏＥスイッチは、風力タービン、ローカル発電機、および太陽光発電装置といった電源により電力が供給される。
【００２８】
一部の実施形態では、照明システムは、パワーオーバーイーサネットＬＡＮケーブルにより上記ＰｏＥスイッチに接続されているＩＰカメラのような少なくとも１つのモーションセンサ；  パワーオーバーイーサネットＬＡＮケーブルにより上記ＰｏＥスイッチに接続されている少なくとも１つの照度センサ；  および、パワーオーバーイーサネットＬＡＮケーブルにより上記ＰｏＥスイッチに接続されている無線アクセスポイント、のうちの少なくとも１つをさらに備えている。
【００２９】
一部の実施形態では、照明システムは、上記無線アクセスポイントと無線でインタフェース接続して、上記少なくとも１つのＬＥＤ光源が発する光を制御するための少なくとも１つの携帯端末をさらに備えている。
【００３０】
本発明の別の態様では、現金自動預払機（ＡＴＭ）設置場所のためのＰｏＥ照明システムを提供する。これは、ネットワークによりＰｏＥスイッチに接続されている内線交換（ＰＢＸ）サーバおよびビデオサーバ；  ＰｏＥスイッチ、を備え、このＰｏＥスイッチは、ＰｏＥ  ＬＡＮケーブルによって、ＩＰカメラのような少なくとも１つのモーションセンサ；  ＩＰ電話；  ＡＴＭ機；および、少なくとも１つのＰｏＥ‐ＩＰイルミネータ、に接続されている。上記ＰｏＥ‐ＩＰイルミネータは、パワーオーバーイーサネットＬＡＮケーブルから受け取ったデータと電力を分離する電力／データ分離器；  受け取った分離された電力を、コントローラへの電力供給に要する電圧に変換するＤＣ／ＤＣ回路；  分離されたデータを受け取って、この受け取った分離されたデータに応じてドライバを制御するコントローラ；  ＩＰ‐ＩＤを上記コントローラに提供するＩＰ‐ＩＤ不揮発性メモリ；  上記コントローラからコマンドを受け取って、少なくとも１つのＬＥＤ光源に供給される、受け取った分離された電力を制御するドライバ；  および、照明光を生成する少なくとも１つのＬＥＤ光源、を有している。
【００３１】
一部の実施形態では、ＰｏＥスイッチは、さらに、充電式バッテリを有することを特徴とする。
【００３２】
一部の実施形態では、ＰｏＥスイッチは、風力タービン、ローカル発電機、および太陽光発電装置といった電源により電力が供給される。
【００３３】
一部の実施形態では、ＰｏＥスイッチは、ドライ接点入力をさらに有している。
【００３４】
一部の実施形態では、上記ネットワークは、無線ネットワークである。
【００３５】
本発明のさらに別の態様は、照明方法を提供し、該方法は、ＬＥＤ管理サーバをネットワークに接続すること；  ＰｏＥスイッチを上記ネットワークに接続すること；  上記ＰｏＥスイッチをＰｏＥ  ＬＡＮケーブルに接続すること；  上記ＰｏＥ  ＬＡＮケーブルを少なくとも１つのＰｏＥ‐ＩＰイルミネータに接続すること、を含んでいる。上記ＰｏＥイルミネータは、上記ＰｏＥ  ＬＡＮケーブルにより伝送される電力からデータを分離すること；  上記ＬＥＤ管理サーバにＩＰ−ＩＤを伝えること；  上記ＰｏＥ  ＬＡＮケーブルからコマンドを受け取って解釈すること；  上記受け取ったコマンドを用いてＬＥＤドライバを制御すること；  上記制御されるドライバを用いて、少なくとも１つのＬＥＤ光源を、上記分離された電力で駆動すること；  および、上記少なくとも１つのＬＥＤ光源により生成される光で照明を提供すること、が可能である。
【００３６】
一部の実施形態では、当該照明方法は、少なくとも１つの追加のＰｏＥ  ＬＡＮケーブルを上記ＰｏＥイルミネータに接続すること；  上記追加のＰｏＥ  ＬＡＮケーブルから受け取った電力を、上記ＰｏＥ  ＬＡＮケーブルから受け取った電力と合算すること；  および、上記合算した電力を上記ＬＥＤドライバに供給すること、をさらに含んでいる。
【００３７】
本発明の別の態様は、ＰｏＥ照明システムを提供し、これは、ＰｏＥスイッチに接続されているＩＰ‐ＬＥＤ制御サーバ；  パワーオーバーイーサネットＬＡＮケーブルにより、少なくとも、連鎖可能ＩＰ‐ＬＥＤ灯からなる少なくとも１つの鎖に接続されているＰｏＥスイッチ、を備えている。上記連鎖可能ＩＰ‐ＬＥＤ灯の鎖は、ＰｏＥラインを介して上記ＰｏＥスイッチに接続されているＩＰ‐ＬＥＤマスター；  および、複数の連鎖可能ＩＰ‐ＬＥＤ灯、を含み、各連鎖可能ＩＰ‐ＬＥＤ灯は、電源；  ＬＥＤ光源；  および、ＩＰ‐ＬＥＤクライアント、を有している。これらのＩＰ‐ＬＥＤクライアントは、シリアル・データチャネルにより、鎖状に接続されて、上記ＩＰ‐ＬＥＤマスターに接続されており、上記ＩＰ‐ＬＥＤクライアントは、上記シリアル・データチャネルを介して受け取ったコマンドに応じて、上記電源から上記ＬＥＤ光源に供給される電力を制御する。
【００３８】
一部の実施形態では、当該システムは、窓用電動スクリーン、ドアロック、および人員アクセスポイントといった、少なくとも１つの部屋環境コントローラをさらに備えている。
【００３９】
本発明のさらに別の態様は、ＰｏＥ制御システムを提供し、これは、ＰｏＥスイッチに接続されているＩＰ制御サーバ；  パワーオーバーイーサネットＬＡＮケーブルにより、少なくとも１つのＩＰコントローラに接続されているＰｏＥスイッチ；  上記ＰｏＥスイッチから上記ＰｏＥケーブルを介してコマンドおよび電力を受け取り、少なくとも１つの被制御機器に電力を供給し制御することができる、少なくとも１つのＩＰコントローラ；  および、上記ＩＰコントローラにより制御され電力供給される、少なくとも１つの遠隔制御される機器、を備えている。上記遠隔制御される機器は、上記ＰｏＥケーブルを介して供給される電力のみにより電力供給される。
【００４０】
一部の実施形態では、上記遠隔制御される機器は、アラーム、サイレン、告知用スピーカ、ディスプレイ、あるいは電光看板といった遠隔制御機器である。
【００４１】
一部の実施形態では、上記少なくとも１つの遠隔制御される機器は、窓用電動スクリーン、ドアロック、および人員アクセスポイントといった、遠隔制御の部屋環境コントローラである。
【００４２】
当該制御システムは、本明細書に開示されている照明要素および／またはその他の要素をさらに含んでいてもよい。
【００４３】
特に定義されていない限り、本明細書で用いるすべての技術用語および科学用語は、本発明の属する技術分野における通常の知識を有する者により一般的に理解されるのと同じ意味をもつものである。本明細書に記載されているものと類似あるいは同等の方法および構成材を、本発明の実施または試験において用いることが可能であるが、以下では、適切な方法および構成材について説明する。矛盾する場合には、本特許明細書が、定義を含めて、支配するものとする。また、構成材、方法、および実施例は、単なる例示であって、限定する目的のものではない。
【図面の簡単な説明】
【００４４】
本発明について、ここで、ほんの一例により、添付の図面を参照して説明を行う。詳細について特に図面を参照するが、強調すべきことは、図示されている詳細は一例であり、本発明の好適な実施形態を実例により解説する目的のものにすぎないということである。それらは、本発明の原理および概念的側面についての最も有効で分かりやすい説明であると考えられるものを提供するために提示される。この観点から、本発明の構造細部については、本発明の基本的理解のために必要である以上に詳細に示すようなことはしていないが、本発明の幾つかの形態が実際にどのように実施され得るのかは、この説明を図面と共に理解することで、当業者に明らかになる。
【００４５】
本発明は、他の実施形態が可能であり、様々な方法で実施あるいは実行することができる。また、当然のことながら、本明細書で用いる表現および専門用語は、説明を目的とするものであって、限定するものとみなされるべきではない。
【００４６】
本明細書で以下において記載する幾つかの図面についての解説では、類似の番号は類似の部分を指している。図面は、全体的に、正確な縮尺ではない。分かりやすくするため、一部の図面では、本質的でない要素は省略した。何らかのオプション部分は、破線で描いた。
【００４７】
図面において、
【００４８】
【図１】図１は、本発明の典型例である一実施形態によるＰｏＥ照明システムを概略的に示している。
【図２】図２は、本発明の典型例である別の実施形態による、無線および遠隔制御を備えたＰｏＥ照明システムを概略的に示している。
【図３】図３は、本発明の典型例である別の実施形態による、ＡＴＭ設置場所のためのＰｏＥ照明システムを概略的に示している。
【図４】図４は、本発明の典型例である一実施形態によるＰｏＥ照明装置のブロック図を概略的に示している。
【図５】図５は、本発明の典型例である別の実施形態による、部屋環境制御のためのシステムのブロック図を概略的に示している。
【図６】図６は、本発明の典型例である別の実施形態による、大きい部屋の照明のためのシステムのブロック図を概略的に示している。
【発明を実施するための形態】
【００４９】
本発明は、電力信号と制御信号の両方を、イーサネットを通して供給する照明システムに関する。
【００５０】
本発明の少なくとも１つの実施形態について詳細に説明するに当たり、当然のことながら、本発明は、その適用において、以下の説明で明記される或いは図示される詳細な構成および構成要素の配置に限定されるものではない。本発明は、他の実施形態が可能であり、様々な方法で実施あるいは実行することができる。
【００５１】
幾つかの実施形態の機能ブロック図を図面に示しているが、その中で機能ブロックは必ずしもハードウェア回路の境界を示してはいない。例えば、１つ以上の機能ブロック（例えば、プロセッサあるいはメモリ）が単体のハードウェア（例えば、汎用信号プロセッサあるいはランダムアクセスメモリ、ハードディスクなど）で実現されていてもよいし、複数のハードウェアで実現されていてもよい。同様に、プログラムは、スタンドアロン・プログラムであってもよいし、あるいは、オペレーティングシステムにサブルーチンとして組み込まれていたり、インストールされたソフトウェア・パッケージに含まれる機能などであってもよい。当然のことながら、様々な実施形態は、図示されている構成および手段に限定されるものではない。
【００５２】
図１は、本発明の典型例である一実施形態によるＰｏＥ照明システム１００を概略的に示している。
【００５３】
システム１００は、複数の周辺機器に対してＰｏＥイーサネットケーブル１２２を通した電力およびデータ交換のリンクを提供するＰｏＥスイッチ１２０を備えている。例えば、ＰｏＥスイッチ１２０は、ＰｏＥアグリゲーションスイッチ・タイプのＣＧＳ‐８０６ＰＰＢなどとすることができる。ＰｏＥスイッチ１２０は、例えば、ＩＰｖ６／イーサネット規格を用いることができる。例えば、チャネルごとに１５ワットの供給を行うＰｏＥ規格であるＩＥＥＥ８０２．３ＡＦを用いることができ、あるいはチャネルごとに３０ワットの供給を行うＰｏＥ＋規格（ＩＥＥＥ８０２．３ＡＴ）やその他の規格を用いることができる。ＰｏＥスイッチ１２０には、例えば、家庭用電力網により電力が供給１３０される。さらにオプションとして、ＰｏＥスイッチ１２０は、緊急時や火災時などの電力不足や電源障害の際に用いられるバッテリあるいは充電式バッテリ１３５といった内部電源を備えていてもよい。さらにオプションとして、ＰｏＥスイッチ１２０に対して、停電の際に用いられる無停電電源（ＵＰＳ）により電力供給を行ってもよい。
【００５４】
オプションとして、ＰｏＥスイッチ１２０には、風力タービン１３１、ローカル発電機１３２、太陽光発電装置１３３など再生可能電源により電力供給が行われる。再生可能電源を用いる場合、電力網は予備として用いることができ、またオプションとして、生成した余剰電力を電力網により引き取ってもらうということも可能である。例えばへき地で、このシステムをＡＣ網に接続しないで実施する場合、充電式バッテリ１３５は、電力を取得可能なとき（昼間、あるいは風が吹いているとき）に充電し、使用できる電力が不足しているときに電力を供給するということが可能である。オプションとして、充電式バッテリは、例えば２０１０年８月１２日に出願された米国特許出願Ｎｏ．１２／８５５，４４５に見られるように、ＰｏＥスイッチ１２０の中に組み込まれていてもよい。
【００５５】
再生可能電源を用いることで、運用コストとＣＯ２やその他汚染物質の排出の両方が削減されて、システム１００は、環境に優しい“グリーン”システムとなる。
【００５６】
ＰｏＥスイッチ１２０は、ＩＰ‐ＬＥＤ制御サーバ１１０によって制御されており、これは、制御ソフトウェアを実行することにより、本システムの柔軟な制御および設定を可能にしている。ＩＰ‐ＬＥＤ制御サーバ１１０は、ＰＣあるいはラップトップ・コンピュータなどのコンピュータとすることができる。ＩＰ‐ＬＥＤ制御サーバ１１０は、ＰｏＥスイッチ１２０に近接して設置されてもよいし、あるいは遠く離れた場所に設置されてもよい。例えば、１つのＩＰ‐ＬＥＤ制御サーバ１１０により、複数のＰｏＥスイッチ１２０を制御することもできる。
【００５７】
複数のＰｏＥ‐ＩＰイルミネータ（ＰＩＰＩ）ＬＥＤ灯１５０により、照明が提供される。各ＰＩＰＩ  １５０は、ＰｏＥ‐ＩＰ  ＬＥＤ制御モジュール（ＰＩＬ）１５２と（１つまたは複数の）ＬＥＤ光源１５４とを備えている。
【００５８】
ＰＩＬ  １５２は、ＰｏＥスイッチ１２０から電力を受け、ＬＥＤ制御サーバ１１０から制御信号を受け取って、受け取ったコマンドに従って（１つまたは複数の）ＬＥＤ光源１５４を操作する。
【００５９】
ＬＥＤ光源１５４は、例えば、単一のＬＥＤとすることができ、あるいは、好ましくは、例えばライトチューブやその他のＬＥＤアレイとしてパッケージ化された複数のＬＥＤとすることもできる。ライトチューブは、例えば、長さが１２００ｍｍで２２ワットを要するもの、あるいは長さが６００ｍｍで１１ワットを要するものが、その運用のために利用可能である。このように所要電力が低く、高効率であるＬＥＤ光源を用いることによって、家庭あるいはオフィスの照明のために充分な電力をＰｏＥ配線１２２により供給することが可能である。
【００６０】
所要電力がより高いまたは低い、すなわちより高照度または低照度である、他のＬＥＤアレイを利用可能である。注目すべきことは、ＬＥＤは、ＰＩＬ  １５２の中に組み込まれていても、あるいは、別個のコンポーネントであってもよいということである。ＬＥＤをＰＩＬ  １５２に組み込むことによって、ＰＩＰＩ  １５０全体を小型の機器にパッケージ化することが可能となる。一方、ＬＥＤ光源１５４を別個にしておくことで、市販のＬＥＤアレイを用いることが可能となって、不良ＬＥＤの取替えが可能であり、あるいは、反射板、散光器、装飾的な器具などの照明器具を柔軟に用いることが可能である。
【００６１】
システム１００は、さらに、モーションセンサ１４４や照度センサ１４２などのセンサを備えていてもよい。センサは、通常、ＰｏＥスイッチ１２０により電力を供給されて、照明要件を決定するために用いることができる情報をＩＰ‐ＬＥＤ制御サーバ１１０に提供する。
【００６２】
例えば、モーションセンサ１４４は、室内の人の存在を検出するために用いられるＰｏＥ対応ＩＰカメラとすることができる。室内に誰も居ないことが分かった場合は、ＰＩＰＩ  １５０はオフにされる。
【００６３】
照度センサ１４２は、室内の明るさレベルを伝えることができ、これによって、例えば昼間の太陽光など外部光が得られるときには、ＰＩＰＩ  １５０の光度を落としたり、オフにしたりする。
【００６４】
カード・エントランス・システムなどでは、その他のセンサを用いて在室状態を検出してもよい。加えて、あるいは代わりに、室内に手動操作スイッチまたはダイアルを設けて、この手動操作スイッチを手動で操作することによる室内照明の手動調整を可能にしてもよい。
【００６５】
注目すべきことは、ＰＩＰＩ  １５０に対するコマンドはローカルエリア・ネットワーク（ＬＡＮ）ケーブル１２２を通じて伝送されるということであり、これによって、ＬＡＮシステムに接続されているコンピュータ機器であって、ＰＩＰＩ  １５０を操作するためのアクセスコードおよびＩＰアドレスを所持しているものであれば、照明を制御することが可能である。例えば、室内に居るユーザが、ＬＡＮシステムにログインしたＰＣと所要の制御ソフトウェアを所持していれば、そのＰＣを用いて室内の照明を制御することができる。
【００６６】
ＰＩＬ  １５２のより詳細については、図４に示している。
【００６７】
図２は、本発明の典型例である別の実施形態による無線および遠隔制御を備えたＰｏＥ照明システム２００を概略的に示している。
【００６８】
システム２００は、遠隔地２１１に配置されたＬＥＤ管理サーバ２１０からの、部屋２１３の照明の遠隔制御を可能にしており、ネットワーク２１２を通して、離れた場所２１３に配置されたＰｏＥスイッチ２２０と通信する。例えば、この場所２１３と遠隔地２１１は、２つの別々のビルとすることができる。ネットワーク２１２は、インターネットとすることができ、これによって、２つの場所２１１，２１３の間の距離は任意とすることが可能である。
【００６９】
図示の実施形態において、ＰｏＥスイッチ２２０は、ＣＦＳ‐８０９ＰＢなどのＰｏＥスイッチとすることができる。ＰｏＥスイッチ２２０は、ＩＰｖ６／イーサネット規格を用いることができる。
【００７０】
ＰｏＥスイッチ２２０には、例えば、家庭用電力網により電力が供給１３０される。さらにオプションとして、ＰｏＥスイッチ２２０は、緊急時や火災時などの電力不足や電源障害の際に用いられるバッテリあるいは充電式バッテリ１３５といった内部電源を備えていてもよい。さらにオプションとして、ＰｏＥスイッチ２２０に対して、停電の際に用いられる無停電電源（ＵＰＳ）により電力供給を行ってもよい。オプションとして、ＰｏＥスイッチ２２０には、風力タービン１３１、ローカル発電機１３２、太陽光発電装置１３３など再生可能電源により電力供給が行われる。再生可能電源を用いる場合、電力網は予備として用いることができ、またオプションとして、生成した余剰電力を電力網により引き取ってもらうということも可能である。例えばへき地で、このシステムをＡＣ網に接続しないで実施する場合、充電式バッテリ１３５は、電力を取得可能なとき（昼間、あるいは風が吹いているとき）に充電し、使用できる電力が不足しているときに電力を供給するということが可能である。オプションとして、充電式バッテリは、ＰｏＥスイッチ２２０の中に組み込まれていてもよい。
【００７１】
さらに、オプションとして、あるいは代替案として、システム２００は、ＰＩＰＩの無線制御が可能であってもよい。ケーブル１２２によってＰｏＥスイッチ２２０に接続されている無線アクセスポイント２６０は、無線チャネル２５５を通じて、携帯端末２５０と無線で通信する。
【００７２】
携帯端末２５０は、アップルのｉＰｈｏｎｅや、ソニーエリクソンのＸＰＥＲＩＡなどのスマートフォンとすることができる。携帯端末２５０は、アップルのｉＰｏｄやｉＰａｄなど、別のタイプのものであってもよい。無線チャネル２５５は、ブルートゥース、Ｗｉ‐Ｆｉなどの狭域ＲＦ通信チャネルであることが好ましいが、赤外線（ＩＲ）通信を用いることもできる。
【００７３】
図３は、本発明の典型例である別の実施形態による、現金自動預払機（ＡＴＭ）設置場所３１１のためのＰｏＥ照明システム３００を概略的に示している。
【００７４】
ＡＴＭ設置場所３１１において、ＰｏＥスイッチ１２０は、監視用ＩＰカメラ１４４と、少なくとも１つのＰＩＰＩ  １５０に対して、電力を供給する。さらに、ＡＴＭ設置場所３１１には、オプションとして、ボイス・オーバー・インターネット・プロトコル（ＶｏＩＰ）電話３４２が設けられていてもよく、これによって、ユーザは音声支援を得ることが可能となる。
【００７５】
ＡＴＭ機３４６は、ＰｏＥケーブル１２２を用いてＰｏＥスイッチ１２０により供給することができる電力よりも多くの電力を必要とする場合があり、このため、オプションとして外部から電力供給が行われる。また一方、追加の電力は、１つ以上のＰｏＥケーブル１２２をＡＴＭ機３４６に接続することにより供給することもできる。用途によっては、ＡＴＭ機３４６は、自動販売機や、映画館、空港、鉄道の駅などで用いられる発券機などの他のマシンで置き換えられたり、あるいは、これらにより拡張されたりする。遠隔地３１３においては、ネットワーク２１２を通じてＰｏＥスイッチ１２０に接続されている内線交換（ＰＢＸ）サーバ３１４とビデオサーバ３１２とにより、それぞれ、音声サービスと映像サービスが提供される。
【００７６】
一部の実施形態では、ネットワーク２１２は、ＲＦ通信、移動通信、あるいは衛星通信といった無線通信である。これらの場合は、適当なモデム（図示せず）が使用される。ローカル電源１３２、あるいは再生可能電源１３１および／または１３３、およびエネルギー貯蔵１３５と組み合わせることで、システム３００を、遠隔に配置されて如何なるインフラ設備にも接続されていないスタンドアロン・システムとすることができる。このような場合には、消費電力が少ないことが強みとなる。図示の限定するものではない典型例である実施形態においては、２つのネットワーク・ポート、すなわち銅チャネル・ポート３６９とオプションである光ファイバー・ポート３７０とを備えるＰｏＥスイッチ１２０（または２２０）を示している。
【００７７】
オプションである“ドライ接点”入力３６０を、例えば、システム２００の起動に用いることができる。ユーザがＡＴＭブースに通じるドアを開けたときに、あるいは、システム３００を作動させる必要があることを示す他のセンサまたはスイッチにより、例えば、入力３６０に接続されたオン／オフ・スイッチを閉じるように構成することができる。これにより、  “スリープモード”から抜けるようにシステムをトリガすることができ、システムは、照明をオンにするなどの動作を実行し、カメラを起動するかあるいはその能力を変更し、電話を稼働状態にし、アナウンスを発するなどする。
【００７８】
図４は、本発明の典型例である一実施形態によるＰＩＰＩ  １５０のブロック図を概略的に示している。
【００７９】
ＰＩＰＩ  １５０は、ＰＩＬ  １５２と少なくとも１つのＬＥＤ光源１５４とを有している。ＰＩＬ  １５２には、ＰｏＥケーブル１２２により電力が供給される。高出力の照明が要求されるような一部の実施形態においては、１つ以上の追加のＬＥＤ  １５４’を用いるなどして、複数のＬＥＤ  １５４が使用される。このような場合は、１つ以上の追加のＰｏＥケーブル１２２’を用いることができる。
【００８０】
ＰＩＬ  １５２では、電力／データ分離（ＰｏＥ／ＰＤ）回路４２０において、データ４１１が４８ボルト電力４１３から切り離される。電力の一部は、簡易ネットワーク管理プロトコル（ＳＮＭＰ）管理／ＣＰＵコントローラ４２６に供給するため、ＤＣ／ＤＣ回路４２２において調整される。ＳＮＭＰは、ＬＡＮケーブル１２２を通じて通信を行う。具体的には、ＳＮＭＰは、ＩＰ‐ＩＤ不揮発性メモリ４２８に記憶されている自身のＩＰ‐ＩＤ番号を通信する。加えて、ＳＮＭＰは、照明出力やＬＥＤ故障といったＬＥＤ状態、センサ信号などの情報を、ＬＡＮケーブル１２２を通して通信することもできる。
【００８１】
ＬＡＮケーブル１２２を通して、および／またはオプションのローカルセンサからオプションのセンサ入力チャネル４３０を介して受け取ったコマンドに応えて、コントローラ４２６は、ＬＥＤ点灯ドライバ４５０を制御して、ＬＥＤ１５４による照明をオン・オフするか、あるいはその光量を調節する。
【００８２】
オプションとして、コントローラ４２６は、オプションである起動出力４３５をアクティブにすることができ、これを用いて、窓用電動シェードや空調装置などの補助装置を制御することができる。
【００８３】
電力４１３の一部は、ＬＥＤ点灯ドライバ／コントローラ４５０を介して、ＬＥＤ１５４およびオプションの追加ＬＥＤ１５４’に供給される。ＬＥＤ点灯ドライバ／コントローラ４５０がＰｏＥ規格で使用している電圧を直接使用できない場合は、その仕様に適合するように、電圧は、オプションのＤＣ／ＤＣ  ＬＥＤ電源４４５により変換される。一方、一部のＬＥＤコントローラは、ＰｏＥ規格で使用している電圧を直接使用するように作られている。追加のＰｏＥライン１２２’を用いる場合は、各々の追加ラインがＰｏＥ／ＰＤ４２０’に接続される。一方、一般的に、データはメインのＬＡＮライン１２２のみが伝送し、追加ライン１２２’は電力の注入のためだけに用いられる。追加のＰｏＥライン１２２’が用いられる場合は、ライン１２２および追加ライン１２２’から供給される電力を、電力加算回路４８０を用いて合算する。注目すべきことは、システム１００，２００および／または３００に対して、その他のＩＰ機器を接続してもよいということである。同様に、一部の機器を同等のもので置き換えたり、あるいは省いたりしてもよい。これらのシステムは、例えば、カメラ、モーションセンサ、入場センサ、本人確認装置などのセキュリティ機器を備える監視システムとして使用することができる。オプションとして、ＩＲ感知カメラによる記録を変換するために赤外線（ＩＲ）ＬＥＤが用いられる。
【００８４】
図５は、本発明の典型例である別の実施形態による、部屋環境制御のためのシステム５００のブロック図を概略的に示している。
【００８５】
システム５００は、ＰｏＥスイッチ２２０’に接続された１つまたは複数の照明ＰＩＰＩ  １５０を備えている。ＰｏＥスイッチ２２０’は、本明細書で先に開示した他のＰｏＥスイッチと類似のもの、同一のもの、または同等のものである。あるいは、用途に合わせた専用のものとすることができ、例えば、チャネルの数を少なくして、（限定するものではないが）例えば４つのＰｏＥポートあるいはＰｏＥ＋ポートを備えるものとすることができる。追加としてのＰｏＥスイッチ２２０’を、オプションとして、タンデム接続された構成にすることができる。すなわち、この図に示すように、互いにつながれると共に、“星形”に接続された構成とすることができる。図示の例では、これらのＰｏＥスイッチ２２０’には、例えば主電力網から電力供給１３０されるが、しかし、先に開示したような他の電源を用いてもよい。
【００８６】
システム５００は、オプションとして、１つ以上の、部屋用ＰｏＥ／ＰＤ制御装置を備えることができ、それらは、制限するものではないが、電気的に制御される窓用シェード５３０、ドアロック５２０、セキュリティアクセスポイント５１０などである。
【００８７】
例えば、電気的に制御される窓用シェード５３０は、電動ロール機構５３２により巻き取り式に上げ下げされるように構成されたスクリーン５３１を有することができる。電動ロール機構５３２には、コントローラ５５を介してＰｏＥライン１２２により電力を供給することができ、あるいは、オプションとして、オプションである電力線１３０’により電力を供給することができる。コントローラ５５は、ＰＩＬ  １５２とすることができ、これにより、例えばその起動出力４３５を介してスクリーン５３１を制御する。あるいは、代わりに、専用の起動コントローラ５５を用いることもできる。オプションである専用起動コントローラ５５は、電動ロール機構５３２を駆動するように構成されたドライバで、ＬＥＤドライバ４５０を置き換えた構成とすることができる。実施形態によっては、コントローラ５５は、電動ロール機構５３２と一体化されていてもよい。
【００８８】
例えばドアロック５２０は、例えば、火災時避難口の扉を自動で開けるために用いることができ、あるいは、人員アクセス・監視システムと統合して用いることができる。オプションであるドアロック５２０には、オプションとして、外部から電力供給することができ、あるいはＰｏＥライン１２２を介して電力供給することができる。コントローラ５５’は、ＰＩＬ  １５２とすることができ、これにより、例えばその起動出力４３５を介して、例えばドア５１０を制御する。あるいは、代わりに、専用の起動コントローラ５５’を用いることもできる。オプションである専用起動コントローラ５５’は、ドアロックを駆動するように構成されたドライバで、ＬＥＤドライバ４５０を置き換えた構成とすることができる。実施形態によっては、コントローラ５５’は、ドアロック５２０の中に統合されていてもよい。
【００８９】
システム５００は、さらに、例えばセキュリティアクセスポイント５１０を備えることができる。セキュリティアクセスポイント５１０は、人員アクセス・監視システムと統合することができる。セキュリティアクセスポイント５１０は、キーパッド５１１、ＲＦＩＤリーダーとＲＦＩＤカード５１０、およびその他のセキュリティシステムあるいは生体認証システム５１３のうちの１つ以上を備えることができる。セキュリティアクセスポイント５１０には、オプションとして、外部から電力供給することができ、あるいはＰｏＥライン１２２を介して電力供給することができる。コントローラ５５”は、ＰＩＬ  １５２とすることができ、あるいは、専用の起動コントローラ５５”を用いることができる。
【００９０】
図６は、本発明の典型例である別の実施形態による、大きい部屋の照明のためのシステム６００のブロック図を概略的に示している。
【００９１】
システム６００は、オプションとして、１つまたは複数の、先に開示した機器を、すなわち、限定するものではないが、要素２２０’，１５０，２６０および２５０などを備えることができる。
【００９２】
さらに、システム６００は、連鎖可能なＩＰ‐ＬＥＤ灯６５０からなる鎖を少なくとも１つ、またオプションとして複数の鎖を、備えている。連鎖可能ＩＰ‐ＬＥＤ灯６５０の各鎖は、ＩＰ‐ＬＥＤマスター６５により制御される。ＩＰ‐ＬＥＤマスター６５は、ＰｏＥライン１２２を介して、スイッチ２２０または２２０’のようなＰｏＥスイッチに接続されている。連鎖可能ＩＰ‐ＬＥＤ灯６５０の各々は、ＩＰ‐ＬＥＤクライアント６６、電源６７、および少なくとも１つのＬＥＤ光源１５４”を備えている。
【００９３】
ＩＰ‐ＬＥＤクライアント６６は、シリアルチャネル６２２によりデイジーチェーン接続されており、それらの先頭のものがＩＰ‐ＬＥＤマスター６５に接続されて、一つのものから次のものへと鎖状に接続されている。シリアルチャネル６２２は、ＲＪ１１ラインおよびコネクタといった標準のインフラ構造を用いることができる。オプションとして、３０個までのＩＰ‐ＬＥＤクライアント６６を鎖状に接続することができるが、しかし、それより短い鎖やそれより長い鎖を用いることもできる。各ＩＰ‐ＬＥＤクライアント６６は、オプションである電源６７から電力を受け取り、この電源には電力線１３０”により電力が供給される。オプションの電源６７は、変圧器、ＡＣ‐ＤＣ電源、あるいはＤＣ‐ＤＣ変換器とすることができる。オプションとして、電源６７は、ＩＰ‐ＬＥＤクライアント６６に組み込まれていてもよく、あるいは、省いてもよい。各ＩＰ‐ＬＥＤクライアント６６は、少なくとも１つのＬＥＤ光源１５４”を制御し、この光源は先に開示したＬＥＤ光源１５４と類似あるいは同一のものである。
【００９４】
好ましくは、各ＩＰ‐ＬＥＤクライアント６６は固有のＩＤを有し、電源オン・コマンド、電源オフ・コマンド、光源レベルまたは調光コマンドといったコマンドを受け取って、実行する。
【００９５】
実施形態によっては、システム１００、２００、３００、５００、あるいは６００といったシステムは、スイッチ１２０、２２０、あるいは２２０’のようなＰｏＥスイッチまたはＰｏＥ＋スイッチに接続されたＰｏＥコントローラまたはＰｏＥ＋コントローラ６６０を備えていてもよい。コントローラ６６０は、選択によっては、コントローラ１５２と類似あるいは同一のものとすることができる。あるいは、コントローラ６６０は異なるものである。コントローラ６６０は、被制御機器６６１の電力供給と制御のために用いられる。被制御機器６６１は、例えば以下のような、遠隔制御可能ないずれかの機器とすることができる。
・  例えば、ビル、オフィス、ＡＴＭなどにおいてプログラム可能な看板として用いられるＩＰ  ＬＥＤ／電光看板。
・  緊急時に用いられるＩＰ制御のサイレン／アラーム。
・  指示、案内、告知などを提供するＩＰ制御のスピーカ。
・  ＩＰ制御のアクセス／ロック・コントローラなど。
・  ＩＰ制御の遮光システム／モータなど。
・  遠隔制御が可能であるその他のあらゆる機器。
【００９６】
このシステムは、複数のイーサネット・スイッチを用いて無限に拡張可能である。また、集中システム、クラウドシステム、あるいは分散システムにより、監視し、特定データおよび統計データを収集し、制御を行うことが可能である。システム要素の認証は、固有のＩＤを用いることにより可能である。
【００９７】
注目すべきことは、照明あるいはその他の遠隔制御される機器に供給することができる電力は、ＰｏＥケーブルあるいは複数のケーブルによりＩＰコントローラに供給される電力により制限が決まるということであり、これは、一般的には、使用するＰｏＥ規格によって決まるということである。将来のＰｏＥ規格は、より高い電力レベル、あるいは幾つかの異なる電力レベルを提供するかもしれない。一般的に、ＩＰコントローラにおいて論理制御回路により消費される電力は小さいけれども、有効負荷の駆動に適用される最大電力を決定する際には考慮に入れる必要がある。
【００９８】
本明細書で用いる、“ＣＰＵ”、“コントローラ”、“コンピュータ”、あるいは“モジュール”という用語は、マイクロコントローラ、縮小命令セット・コンピュータ（ＲＩＳＣ）、特定用途向け集積回路（ＡＳＩＣ）、論理回路、および本明細書に記載した機能を実行することが可能な他の回路またはプロセッサを用いるシステムを含めて、プロセッサベースあるいはマイクロプロセッサベースのあらゆるシステムを含むことができる。上記の例は単なる典型例にすぎず、決して、“コンピュータ”という用語の定義および／または意味を制限するものではない。
【００９９】
コンピュータあるいはプロセッサは、入力データを処理するため、１つ以上の記憶要素に記憶されている命令のセットを実行する。記憶要素は、求められるまたは必要とされるデータあるいはその他の情報も記憶することができる。記憶要素は、情報源の形態であっても、あるいは処理機の中の物理メモリ素子であってもよい。
【０１００】
命令のセットは、本発明の様々な実施形態の方法およびプロセスのような特定の動作の実行を、処理機としてのコンピュータあるいはプロセッサに指示する様々なコマンドを含むことができる。命令のセットは、ソフトウェア・プログラムの形態とすることができる。ソフトウェアは、システム・ソフトウェアまたはアプリケーション・ソフトウェアなど様々な形態が可能である。また、ソフトウェアは、別々のプログラムまたはモジュールの集まり、大きなプログラムの中のプログラム・モジュール、あるいはプログラム・モジュールの一部分という形態が可能である。ソフトウェアは、オブジェクト指向プログラミングという形態のモジュラ・プログラミングを含むこともできる。処理機による入力データの処理は、オペレータ・コマンドに応えて、あるいは先行する処理の結果に応じて、あるいは別の処理機による要求に応えて、実行される。
【０１０１】
本明細書で用いる、“ソフトウェア”および“ファームウェア”という用語は、互いに置き換え可能であり、コンピュータによる実行のためメモリに記憶されているあらゆるコンピュータ・プログラムを含んでいる。上記メモリは、ＲＡＭメモリ、ＲＯＭメモリ、ＥＰＲＯＭメモリ、ＥＥＰＲＯＭメモリ、および不揮発性ＲＡＭ（ＮＶＲＡＭ）メモリを含んでいる。上記のメモリ・タイプは単なる典型例にすぎず、コンピュータ・プログラムの記憶に用いることができるメモリのタイプについて制限するものではない。
【０１０２】
当然のことながら、以上の説明は例示目的のものであって、限定する目的のものではない。例えば、上記実施形態（および／または、その態様）は、互いに組み合わせて用いることができる。さらに、本発明の様々な実施形態による教示は、その範囲から逸脱することなく、特定の状況や構成材に合わせて、様々に変形することができる。本発明の様々な実施形態のパラメータが、本明細書で記載している構成材の寸法や種類により規定されているが、これらの実施形態は決して限定するものではなく、典型例としての実施形態である。上記の説明を読み返すことで、当業者には他の多くの実施形態が明らかとなるであろう。従って、本発明の様々な実施形態の範囲は、添付の特許請求の範囲によって権利が与えられる均等物の全範囲とともに、該特許請求の範囲を参照して決定されなければならない。添付の特許請求の範囲において、“含む（ｉｎｃｌｕｄｉｎｇ）”および“ここで（ｉｎ  ｗｈｉｃｈ）”という用語は、それぞれ、“備える（ｃｏｍｐｒｉｓｉｎｇ）”および“そこで（ｗｈｅｒｅｉｎ）”という用語に相当する平易な英語として使用される。また、以下の特許請求の範囲において、“第１の”“第２の”および“第３の”などの用語は、単にラベルとして使用されるもので、その対象物について数字的要件を課す目的のものではない。
【０１０３】
また、以下の特許請求の範囲における限定は、ミーンズ・プラス・ファンクション形式で表現されたものではなく、それらの請求項における限定は、構造についての追加記述無く機能についての記述を後に続けて“〜のための手段（ｍｅａｎｓ  ｆｏｒ）”という表現を明確に用いていない限り、米国特許法（３５  Ｕ．Ｓ．Ｃ．）第１１２条第６項に基づいて解釈されるものではない。
【０１０４】
本明細書では、実例を用いて、最良の形態を含む本発明の様々な実施形態を開示し、当業者であれば、いずれかの機器やシステムを製造すること、使用すること、および組み込まれた何らかの方法を実施することを含めて、本発明の様々な実施形態を実施できるようにしている。本発明の様々な実施形態の特許可能な範囲は、特許請求の範囲によって規定され、当業者が想到する他の例を含むことができる。これらの例が有する構造要素が特許請求の範囲の文言と相違ない場合、あるいは、特許請求の範囲の文言と実質的ではない差異はあるもの同等の構造要素をこれらの例が含んでいる場合、このような他の例は特許請求の範囲内であるものとする。
【０１０５】
本発明について、その特定の実施形態に関連して説明を行ったが、当然のことながら、当業者には多くの代替案、変更、および変形が明らかであろう。従って、添付の特許請求の範囲の趣旨および広義の範囲内にある全てのそのような代替案、変更、変形を含むものとする。本明細書において言及した全ての刊行物、特許および特許出願は、各刊行物、特許、あるいは特許出願が具体的かつ個別に提示されて参照により援用されるのと同じように、その全体が参照により本明細書に組み込まれる。加えて、本願における如何なる参照文献の引用あるいは列挙も、当該参考文献を本発明の先行技術とされることを認めるものと解釈されてはならない。
【図１】
2012231440.tif 000003
【図６】
2012231440.tif 000004
【図２】
2012231440.tif 000005
【図３】
2012231440.tif 000006
【図４】
2012231440.tif 000007
【図５】
2012231440.tif 000008